(57)【要約】  装置が、中空針、針へと同軸に取り付けられる拡張器、および拡張器へと同軸に取り付けられる鞘を含むことができる。拡張器は、鞘に対してスライドして変位可能であってよい。
2008534154.tif 000002
【特許請求の範囲】
【請求項１】
・横穴を定めるとともに、案内ワイヤを受け入れるように寸法付けられた内腔および横穴の遠位側の尖った遠位端を有している中空針、
・針へと同軸に取り付けられて、針との間に第１の空間を定める拡張器であって、該第１の空間が、横穴を出る流体が存在すれば当該第１の空間へと流入させることができるように、横穴を通じて中空針の内腔に連絡している拡張器、および
・拡張器へと同軸に取り付けられる鞘
を有している装置であって、
拡張器および鞘の少なくとも一方が、流体を含んでいる空洞内への針の適切な配置を確認するために、当該装置内に流体が存在すれば拡張器および／または鞘を通して視認できるよう、透明、半透明、または光透過性であり、
拡張器が、鞘に対してスライドして変位することができ、
拡張器が、近位部分および遠位部分を含んでおり、遠位部分が近位部分よりも大きな断面積を有している装置。
【請求項２】
拡張器は、近位部分と遠位部分との間に移行領域をさらに有しており、移行領域が拡張器横穴を定めている請求項１に記載の装置。
【請求項３】
移行領域が一定の断面を有している請求項２に記載の装置。
【請求項４】
拡張器が単一の部品として形成されている請求項１に記載の装置。
【請求項５】
拡張器の遠位部分が中実であり、近位部分が拡張器横穴を定めている請求項１に記載の装置。
【請求項６】
拡張器の近位部分が軸を有しており、拡張器の遠位部分が前記軸へと貼り付けられ、拡張器の遠位部分が前記第１の空間を定めている請求項１に記載の装置。
【請求項７】
第１の空間の断面積が、針の内腔の断面積の約２５％よりも小さくない請求項６に記載の装置。
【請求項８】
・横穴を定めるとともに、案内ワイヤを受け入れるように寸法付けられた内腔および横穴の遠位側の尖った遠位端を有している中空針、
・針の少なくとも一部分へと貼り付けられて同軸に配置され、針との間に第１の空間を定める拡張器であって、該第１の空間が、横穴を出る流体が存在すれば当該第１の空間へと流入させることができるように、横穴を通じて中空針の内腔に連絡している拡張器、および
・拡張器へと同軸に取り付けられる鞘
を有している装置であって、
拡張器および鞘の少なくとも一方が、流体を含んでいる空洞内への針の適切な配置を確認するために、当該装置内に流体が存在すれば拡張器および／または鞘を通して視認できるよう、透明、半透明、または光透過性であり、
拡張器が、鞘に対してスライドして変位することができる装置。
【請求項９】
・横穴を定めるとともに、案内ワイヤを受け入れるように寸法付けられた内腔および横穴の遠位側の尖った遠位端を有している中空針、
・針の近位端へと取り付けられ、案内ワイヤを受け入れるように寸法付けおよび配置された管腔を定めている針ハブ、
・針へと同軸に取り付けられて、針との間に第１の空間を定める拡張器であって、該第１の空間が、横穴を出る流体が存在すれば当該第１の空間へと流入させることができるように、横穴を通じて中空針の内腔に連絡している拡張器、および
・拡張器へと同軸に取り付けられる鞘
を有している装置であって、
拡張器および鞘の少なくとも一方が、流体を含んでいる空洞内への針の適切な配置を確認するために、当該装置内に流体が存在すれば拡張器および／または鞘を通して視認できるよう、透明、半透明、または光透過性であり、
拡張器が、鞘に対してスライドして変位することができ、
針ハブが、管腔が案内ワイヤを針ハブを通って自由にスライドさせることができるように開いている第１の状態と、管腔が案内ワイヤを針ハブ内で拘束するように塞がれている第２の状態との間を移行可能である装置。
【請求項１０】
針ハブが、管腔内に案内ワイヤが位置している場合に案内ワイヤに密着するように構成されたシール部材をさらに有している請求項９に記載の装置。
【請求項１１】
拡張器の近位端へと取り付けられた拡張器ハブをさらに有しており、拡張器ハブを針上でスライドさせて変位させることができ、拡張器ハブおよび針ハブの相補的な嵌め合わせ部材によって針ハブへと取り外し可能に取り付けることができる請求項９に記載の装置。
【請求項１２】
針ハブが、休止状態においてはお互いから離れている２つのフィンガ把持部を有しており、少なくとも１つのフィンガ把持部が、該少なくとも１つのフィンガ把持部が少なくとも１つの方向に動かされたときに、針ハブの嵌め合わせ部材を動かすように針ハブの嵌め合わせ部材に組み合わせられている請求項９に記載の装置。
【請求項１３】
針ハブの管腔が、遠位方向に先細りである請求項９に記載の装置。
【請求項１４】
・横穴を定めるとともに、案内ワイヤを受け入れるように寸法付けられた内腔および横穴の遠位側の尖った遠位端を有している中空針、
・遠位端を有しており、該遠位端が針の横穴の近位側にて終わって針の横穴を妨げないように前もって組み込まれている案内ワイヤ、
・針へと同軸に取り付けられて、針との間に第１の空間を定める拡張器であって、該第１の空間が、横穴を出る流体が存在すれば当該第１の空間へと流入させることができるように、横穴を通じて中空針の内腔に連絡している拡張器、および
・拡張器へと同軸に取り付けられる鞘
を有している装置であって、
拡張器および鞘の少なくとも一方が、流体を含んでいる空洞内への針の適切な配置を確認するために、当該装置内に流体が存在すれば拡張器および／または鞘を通して視認できるよう、透明、半透明、または光透過性であり、
拡張器が、鞘に対してスライドして変位することができる装置。
【請求項１５】
・横穴を定めるとともに、案内ワイヤを受け入れるように寸法付けられた内腔および横穴の遠位側の尖った遠位端を有している中空針、
・針に前もって組み込まれる案内ワイヤ、
・案内ワイヤを針に対して動かぬようにするため、案内ワイヤに対して除去可能に押し付けられるくさび部材、
・針へと同軸に取り付けられて、針との間に第１の空間を定める拡張器であって、該第１の空間が、横穴を出る流体が存在すれば当該第１の空間へと流入させることができるように、横穴を通じて中空針の内腔に連絡している拡張器、および
・拡張器へと同軸に取り付けられる鞘
を有している装置であって、
拡張器および鞘の少なくとも一方が、流体を含んでいる空洞内への針の適切な配置を確認するために、当該装置内に流体が存在すれば拡張器および／または鞘を通して視認できるよう、透明、半透明、または光透過性であり、
拡張器が、鞘に対してスライドして変位することができる装置。
【請求項１６】
・横穴を定めるとともに、案内ワイヤを受け入れるように寸法付けられた内腔および横穴の遠位側の尖った遠位端を有している中空針、
・針へと同軸に取り付けられて、針との間に第１の空間を定める拡張器であって、該第１の空間が、横穴を出る流体が存在すれば当該第１の空間へと流入させることができるように、横穴を通じて中空針の内腔に連絡している拡張器、および
・拡張器へと同軸に取り付けられ、放物曲線を有する遠位端を有している鞘
を有している装置であって、
拡張器および鞘の少なくとも一方が、流体を含んでいる空洞内への針の適切な配置を確認するために、当該装置内に流体が存在すれば拡張器および／または鞘を通して視認できるよう、透明、半透明、または光透過性であり、
拡張器が、鞘に対してスライドして変位することができる装置。
【請求項１７】
・横穴を定めるとともに、案内ワイヤを受け入れるように寸法付けられた内腔および横穴の遠位側の尖った遠位端を有している中空針、
・放物曲線を有する遠位端を有しており、針へと同軸に取り付けられて、針との間に第１の空間を定める拡張器であって、該第１の空間が、横穴を出る流体が存在すれば当該第１の空間へと流入させることができるように、横穴を通じて中空針の内腔に連絡している拡張器、および
・拡張器へと同軸に取り付けられる鞘
を有している装置であって、
拡張器および鞘の少なくとも一方が、流体を含んでいる空洞内への針の適切な配置を確認するために、当該装置内に流体が存在すれば拡張器および／または鞘を通して視認できるよう、透明、半透明、または光透過性であり、
拡張器が、鞘に対してスライドして変位することができる装置。
【請求項１８】
・横穴を定めるとともに、案内ワイヤを受け入れるように寸法付けられた内腔および横穴の遠位側の尖った遠位端を有している中空針、
・針の横穴に流体に関して連通している圧力計、
・針へと同軸に取り付けられて、針との間に第１の空間を定める拡張器であって、該第１の空間が、横穴を出る流体が存在すれば当該第１の空間へと流入させることができるように、横穴を通じて中空針の内腔に連絡している拡張器、および
・拡張器へと同軸に取り付けられる鞘
を有している装置であって、
拡張器および鞘の少なくとも一方が、流体を含んでいる空洞内への針の適切な配置を確認するために、当該装置内に流体が存在すれば拡張器および／または鞘を通して視認できるよう、透明、半透明、または光透過性であり、
拡張器が、鞘に対してスライドして変位することができる装置。
【請求項１９】
・横穴を定めるとともに、案内ワイヤを受け入れるように寸法付けられた内腔および横穴の遠位側の尖った遠位端を有している中空針、
・針へと同軸に取り付けられて、針との間に第１の空間を定める拡張器であって、該第１の空間が、横穴を出る流体が存在すれば当該第１の空間へと流入させることができるように、横穴を通じて中空針の内腔に連絡している拡張器、および
・拡張器へと同軸に取り付けられる鞘
を有している装置であって、
拡張器および鞘の少なくとも一方が、流体を含んでいる空洞内への針の適切な配置を確認するために、当該装置内に流体が存在すれば拡張器および／または鞘を通して視認できるよう、透明、半透明、または光透過性であり、
拡張器が、鞘に対してスライドして変位することができる装置と、
・移動阻止部材を備えている案内ワイヤと
を含んでいるキット。
【請求項２０】
移動阻止部材が、ハンドルまたはストッパを有している請求項１９に記載のキット。
【請求項２１】
移動阻止部材が、案内ワイヤの少なくとも一部分を覆うカバーを有している請求項１９に記載のキット。
【請求項２２】
・請求項１〜７および９〜１８のいずれか一項に記載の装置、または請求項１９〜２１のいずれか一項に記載のキットにて、中空針の遠位端を空洞へと導入すること、
・針の遠位端を通って空洞へと案内ワイヤを前進させること、
・拡張器および鞘を一緒に、針上を空洞へと前進させること、および
・針および拡張器を取り除き、空洞へのアクセスを提供するために鞘をその場に残すこと
を含んでいる方法。
【請求項２３】
拡張器および鞘を前進させる前に、案内ワイヤを針に対して動かぬように固定すること
をさらに含んでいる請求項２２に記載の方法。
【請求項２４】
空洞が静脈であって、
静脈へのアクセスが得られたことを確認するために装置によって血液を吸引することをさらに含んでいる請求項２２に記載の方法。
【請求項２５】
空洞が動脈であって、
動脈へのアクセスが得られたことを確認するために装置内の血液の色または血液の脈流を観察することをさらに含んでいる請求項２２に記載の方法。
【請求項２６】
案内ワイヤを針および拡張器と一緒に取り除くこと
をさらに含んでいる請求項２２に記載の方法。
【請求項２７】
・請求項８に記載の装置にて、中空針の遠位端を空洞へと導入すること、
・拡張器が少なくとも部分的に空洞に入るように装置を前進させること、
・針の遠位端を通って空洞へと案内ワイヤを前進させること、
・鞘を、拡張器および針上を空洞へと前進させること、および
・針および拡張器を取り除き、空洞へのアクセスを提供するために鞘をその場に残すこと
を含んでいる方法。
【発明の詳細な説明】
【背景技術】
【０００１】
カテーテルまたは血管用の鞘を血管へと挿入するための好ましい非外科的方法は、患者の血管へのアクセス針の挿入を含むセルジンガー（Ｓｅｌｄｉｎｇｅｒ）法の使用を必要とする。針を通って血管へと、案内ワイヤが挿入される。針が取り除かれ、拡張器と鞘との組み合わせが、案内ワイヤを覆って挿入される。次いで、拡張器と鞘との組み合わせが、組織を通って血管へと短い距離だけ挿入され、その後に拡張器が取り除かれて廃棄される。次いで、カテーテルが、鞘を通って血管へと所望の位置まで挿入される。
【０００２】
あるいは、マイクロアクセス法においては、アクセス針が患者の血管へと挿入される。この針を通って血管へと、案内ワイヤが挿入される。針が取り除かれ、拡張器が、案内ワイヤを覆って挿入される。次いで、拡張器の組み合わせが、組織を通って血管へと短い距離だけ挿入され、その後に案内ワイヤが取り除かれて廃棄される。拡張器がその場に残され、別個の鞘キットが使用される。より太い案内ワイヤが拡張器へと挿入され、拡張器が取り除かれる。拡張器と鞘との組み合わせが挿入される。次いで、拡張器および案内ワイヤが取り除かれる。次いで、カテーテルが、鞘を通って血管へと所望の位置まで挿入される。
【０００３】
多数の血管アクセス装置が知られている。例えば、血管アクセスのための種々の装置を説明しており、それぞれここでの言及によって本明細書に取り入れられたものとする米国特許第４，５８１，０１９号、第４，６２９，４５０号、第４，７７２，２６４号、第４，９７８，３３４号、第５，１５８，５４４号、第５，４２４，４１０号、第５，３１２，３５５号、第５，５１２，０５２号、第５，７２８，１３２号、第５，８８５，２１７号、第５，９１９，１６０号、第６，１２０，４９４号、第６，１７９，８２３号、および第６，２１０，３６６号を参照されたい。
【発明の開示】
【発明が解決しようとする課題】
【０００４】
しかしながら、これらの装置のいずれも、医師らが好むと考えられる使用の容易性および安全性を備えておらず、したがって、使用がより容易でありかつより安全である血管アクセス装置、とくにはいつ血管に孔が開いたのかを明確に示すことができる血管アクセス装置について、ニーズが存在している。
【課題を解決するための手段】
【０００５】
あらかじめ組み立てられた血管アクセス装置が、中空針、針の少なくとも一部分へと同軸に取り付けられた拡張器、および拡張器の少なくとも一部分へと同軸に取り付けられた鞘を含むことができる。針と拡張器との間、および拡張器と鞘との間に、空間を定めることができる。中空針の内腔が、針および／または拡張器に定められた開口を通して空間のうちの１つ以上に連通できる。鞘は、透明または半透明であってよく、ユーザが血液の流れを視認して血管アクセスの達成を確認できるようにしている。
【発明を実施するための最良の形態】
【０００６】
米国特許出願第６０／３４３，８１４号および第１０／３２９，１７３号が、血管アクセス装置を記載しており、ここでの言及によって本明細書に取り入れられたものとする。
【０００７】
いくつかの実施の形態において、拡張器あるいは鞘および拡張器が、針へと取り付けられており、針が、針の遠位端の近位側に横開口を有している。挿入に先立ち、針が、針の遠位端が拡張器の遠位端の遠位側であるように配置される。針を血管へと挿入した後、針の遠位端によって血管が貫かれたことを示すために、針の開口が、血液が針と拡張器との間の環状の空間へと流入できるようにする。これに加え、あるいはこれに代えて、血液が鞘によって形成される環状の空間に流入し、血管が貫かれたことを示す。さらに、血液は、アクセスの達成についてさらなる表示をもたらし、動脈または静脈のどちらへのアクセスが得られたかを判断するうえでユーザの助けとなるよう、透明なハブまたは随意による側部ポートへと流れることができる。
【０００８】
ひとたび血管アクセスが達成され、すなわち針の遠位端が血管を貫いて、血液が針の横開口を通って上述の環状の空間の１つへと流れ、さらには必要に応じて側部ポートへと流れると、案内ワイヤが、針を通って進められ、あるいは針へと通され、次いで針、拡張器、および鞘を含む装置全体を、案内ワイヤを覆うようにして血管へと進めることができる。あるいは、案内ワイヤを針へと通し、次いで拡張器および鞘を、案内ワイヤ上で血管へと針から前進させることができる。鞘が所定の位置に位置したとき、内側の拡張器、針、および案内ワイヤを、まとめて取り除くことができる。このようにして、案内ワイヤが針の先端を保護し、次いで内側に案内ワイヤを有している状態の針を、さらなる安全のために、案内ワイヤが取り去られて結果として針の先端が露わになることがないように曲げることができる。あるいは、案内ワイヤを、カテーテルの配置のためにその場に残すことができる。さらに詳しく後述されるいくつかの実施の形態においては、針の遠位端を拡張器の内側に収容することができ、これも安全に貢献できる。
【０００９】
一実施の形態においては、拡張器が、遠位側へと前進させることができ、あるいは針の遠位端を引き込むことができる遠位部材を有しており、拡張器の遠位部材の遠位端が、針の先端を覆って遠位側へと延伸する。次いで、拡張器の遠位部材が、針と拡張器、あるいは針と拡張器と鞘、あるいは拡張器と鞘が、案内ワイヤ上で前進させられ、あるいは血管から引き戻されるときに、血管の壁を保護する。さらに、針、拡張器、および／または鞘が引き出されるときに、医療従事者が保護される。
【００１０】
他の実施の形態においては、内側拡張器および外側拡張器を有する同軸な拡張器システムが存在する。内側拡張器を、別個独立に遠位側へと、針の遠位端まで前進させることができる。その結果、内側拡張器が針の先端を覆い、内側拡張器の遠位部材が、好ましくは案内ワイヤ上で針と拡張器あるいは針と拡張器と鞘が前進させられ、あるいは血管から引き戻されるときに、血管の壁を保護する。さらに、針、あるいは針、拡張器、および／または鞘が引き出されるときに、作業者が保護される。
【００１１】
他の実施の形態においては、針の遠位端の斜面を上にして血管へと挿入されている針の先端を、針の遠位端の斜面が下側になるように血管内で１８０°回転させることができるよう、針を拡張器に対して、あるいは拡張器および鞘に対して回転させることができる。針の遠位端がこの姿勢にあるとき、針の遠位端の動きによって血管を傷つけてしまう可能性が少なくなる。針部材の近位部分に、針の先端の斜面の相対位置を示す色表示、文字、または他のしるしを持たせることができる。また、針部材の近位部分に、相対位置を示すため、および／または針部材を拡張器あるいは拡張器および鞘に対して所定の位置に保持するために、切り欠き、ピボット、くぼみ、または他の機構を持たせることができる。
【００１２】
ここに開示される血管アクセス装置は、ステント留置、経皮経管冠動脈形成術（ＰＴＣＡ）、などのように血管鞘が必要とされる場合、あるいは例えばＰＩＣＣラインやペースメーカのリード線などの挿入のために剥離鞘が必要とされる場合の体内のあらゆる管へのアクセスなど、いくつかの用途を有している。さらに、ここに開示される血管アクセス装置は、浅層組織であって、とくには血餅除去の手順において迅速なアクセスが必要とされることがある透析グラフトおよび瘻孔へのアクセスに有用であると考えられる。他の用途として、中心線（大腿部、鎖骨下、または内頸）の配置が挙げられる。太い（１８Ｇ）針を使用し、次いで案内ワイヤ上で拡張器を前進させて、三管腔のカテーテルまたは血管鞘と交換する（現行の技法の）代わりに、太い針または細い針を、血管鞘によって血管アクセスを得るために使用することができ、この血管鞘を通して、三管腔または他のカテーテルを安全に配置することができる。
【００１３】
ここに開示される血管アクセス装置は、いくつかの利点をもたらすことができるが、その第１は効率である。案内ワイヤおよび鞘の交換を伴う現行の多工程のアクセス法の代わりに、これらの装置は、工程の数を少なくし、アクセスを簡単にすることができる。他の利点は、安全性である。血管へとアクセスした後で、案内ワイヤを、針先端の保護のために残すことができる。針、拡張器、および案内ワイヤを、鞘を所定の位置に位置させた後で、まとめて取り除くことができる。いくつかの処置において、さらなるアクセスが不要であるならば、さらなる安全性のために針を曲げることができる。これは、血管へのアクセスが得られた後に、血液の付着した針が保護されないままで案内ワイヤから取り除かれる現行の技法と対照的である。あるいは、鞘を通してさらなるアクセスをもたらすために、案内ワイヤをその場に残すことが可能であり、拡張器の遠位部材が針の遠位端を保護し、究極的にはユーザを保護する。他の利点は、感染の低減である。血管アクセスを得るために必要とされる案内ワイヤおよび鞘の数を最小限にすることで、不注意による汚染の機会が少なくなる。さらなる利点は、病院外または現場の状況において、ここに開示の装置を使用することで、非殺菌の環境ゆえの感染の可能性が少なくなる。いくつかの実施の形態におけるまたさらなる利点は、システムの剛性が増す点にある。針によってもたらされる剛性の向上ゆえ、複数の拡張を必要とせずにシステムを前進させることができ、患者への傷を少なくすることができる。さらに、針および／または他の内部部品によってもたらされる剛性ゆえに、より柔らかい材料を使用して鞘を形成することができ、血管の傷をさらに少なくすることができる。例えば、６フレンチの装置の鞘を、約５５デュロメータ〜約７５デュロメータの硬さを有する材料で製作することが可能である。
【００１４】
またさらなる利点は、現行の技法において案内ワイヤを交換する際に生じる針、拡張器、およびワイヤの周囲からの出血に関する。このような出血は、手術の現場および手術者の手袋への血液の飛び散りを多くし、不注意による針の突き刺しが生じた場合の感染の機会を多くする。ここに開示される装置は、血液が現行の技法のように手術の現場へと流れるよりもむしろ、鞘へと流入するため、この感染の恐れを少なくすることができる。
【００１５】
いくつかの実施の形態の他のさらなる利点は、ワイヤ上での交換が不要である点にある。この装置を、アクセス処置の際に不注意によって案内ワイヤを脈管系へと誤って配置してしまう可能性を除くように構成できる。現行の技法においては、拡張器、ひいては鞘のための針の交換において、作業者がそのような交換の際に案内ワイヤをうまく把持できず、案内ワイヤが拡張器またはカテーテルと一緒に意図せずに患者の脈管系へと進められてしまうという公知の厄介事が存在する。その結果、案内ワイヤを外科的に取り除かなければならず、あるいは経皮的に捕まえなければならない。
【００１６】
最後に、この装置は、血管アクセスの達成において使用される追加の案内ワイヤおよび同軸な拡張器の必要性をなくすことができるため、費用対効果に優れることができる。
【００１７】
図１および２において、針部分１０２が、針１０４とツイストロック部材１０８を備える近位部１０６とを含んでおり、拡張器部分１１２が、拡張器１１４およびハブ１１６を含んでいる。一実施の形態においては、針１０４が１つ以上の開口１２０を有している。拡張器１１４は、血液が針１０４へと流入し、開口１２０を通って、（１）針１０４と拡張器１１４との間の環状の空間１２２に流入し、もしくは（２）拡張器１１４内の空間（図示されていない）へと流入あるいは通過して流れる場合に、医師が血液を視認できるように透明、半透明、または光透過性であってよい。これは、針１０４の遠位端１２４によって血管（図示されていない）に孔が開けられたことを医師に示す。血液の流れを視覚化できるというこの能力は、さらに他の情報ももたらすことができる。例えば、ユーザは、動脈または静脈のどちらが貫かれたのかを、血液の色（より明るい赤色が動脈の血液であることを示し、より暗い赤色または紫色は、静脈の血液であることを示している）によって、血液の背圧（より高い圧力が動脈へのアクセスを示し、より低い圧力が静脈へのアクセスを示している）によって、装置が血液によって満たされる速度（よりゆっくりと満たされる場合には静脈であり、より速く満たされる場合には動脈である）によって、さらには血液がパルス状であるか否か（パルス状の血液は、動脈へのアクセスを示しており、パルス状でない血液は、静脈へのアクセスを示している）によって、見分けることができる。
【００１８】
図２に見て取ることができるように、拡張器ハブ１１６が、針近位部分１０６に解放可能に係合する。いくつかの実施の形態においては、拡張器ハブが、針近位部分の一部分を形成している円錐形の部材を収容する円錐形の凹所を備えることができる。針近位部分は、拡張器ハブの相応のねじ山に係合するねじ山を有する環状の部位を備えることができる。針の近位部分および拡張器部分の解放可能な係合という同じ目的を達成するため、ねじ、つめ、あるいは他の嵌り合いまたは押し込みの機構からなる他の構成も考えられる。
【００１９】
ハブ１１６は、随意により、多孔質の通気口１２８を有することができる。針の近位部１０６は、随意により、針１０４の管腔１３４、随意による円錐形の凹所、および管腔１３６を有する針の近位部分１０６に連通するチャネル１３２に嵌り込む多孔質の通気プラグ１３０を有することができる。
【００２０】
針の近位部１０６は、拡張器１１４に対する遠位端１２４の斜面の位置を作業者に示すために、色表示、文字、あるいはピボットまたは切り欠きなどといった他のしるしを有することができる。さらには、作業者が、針先端の斜面の位置を変更すべく針を回転させたときに、感触または音にて知ることができるよう、拡張器１１４と針１０４との間に機械的な嵌り合いを存在させてもよい。
【００２１】
図３および４に示した実施の形態においては、針部分１４２が、針１４４とツイストロック部材１４８を備える近位部１４６とを含んでおり、拡張器部分１５０が、拡張器１５２およびハブ１５４を含んでおり、鞘部分１６０が、鞘１６２および近位部１６４を含んでいる。一実施の形態においては、針１４４が１つ以上の開口１４９を有している。拡張器１５２および鞘１６２は、血液が針１４４へと流入し、開口１４９を通って、（１）針１４４と拡張器１５２との間の環状の空間１７０に流入し、（２）拡張器１５２内の空間（図示されていない）へと流入し、あるいは拡張器１５２内の空間を通過して流れ、もしくは（３）開口１７２を通って拡張器１５２と鞘１６２との間の環状の空間１７４へと流入する場合に、医師が血液を視認できるように透明、半透明、または光透過性であってよい。上述のように、これは、針１４４の遠位端１７６によって血管（図示されていない）に孔が開けられたことを医師に示す。拡張器の開口１７２を、針の開口１４９のすぐ近くに配置することができ、あるいは筒（または、ブレット）から円錐状の先端への移行の近傍に配置することができる。さらには、拡張器の開口１７２を、依然としてシール１７９の遠位側ではあるが可能な限り近位側に配置することができる（あるいは、そのような開口を追加してもよい）。あるいは、開口１７２を、部位１６４に近い鞘の内側に配置してもよい。鞘の近位部１６４が、シリンジ（図示されていない）によって血液を吸い取ることができるよう、ポート１７８を有することができる。鞘は、血液が鞘の遠位端から流れ出ることがないよう、遠位端１６４に止血バルブ（図示されていない）を含むことができる。鞘の近位部１６４が、円錐台形状を有するものとして示されているが、梱包用の筒状カバーを受け入れるように形作られた遠位側の円筒領域を備えてもよい。
【００２２】
高粘性流体の滴を、針の近位端において針の内径と案内ワイヤとの間に配置することができる。これは、血液が側方のポートによって吸い出されるときに、針と案内ワイヤとの間の空間を通って装置へと空気が吸い込まれることがないようにする。Ｄｏｗ  Ｃｏｒｎｉｎｇ社の３６０  ｍｅｄｉｃａｌ  ｆｌｕｉｄ（１２，５００ｃＳｔ）が典型的な流体であるが、他の同様の物質も使用可能である。拡張器ハブのゴム・シールも、針を封じるうえで役に立つ。液滴および／または気密シールは、装置が静脈へのアクセスを得るために使用される場合に、静脈への配置が吸引によって確認されることが多いため、とくに有用である。動脈へのアクセスの際には、動脈の血圧が装置への血液の進入を生じさせるために充分であるため、通常は吸引は不要である。
【００２３】
近位部１０８、１１６、１４６、および１５４はそれぞれ、随意により、ルアー（ｌｕｅｒ）接続部材を有することができる。例えば、部位１０８が、雄のルアー・ロック（ｌｕｅｒ  ｌｏｃｋ）を有すことができ、部位１１６が、雌のルアー・コネクタを有することができる。部位１４６および１５４も、それぞれ同様の部材を有することができる。
【００２４】
図４に示されているように、部位１４２、１５０、および１６０を、お互いへと挿入することができる。近位部１４６、１５４、１６４を、ルアー・コネクタ、ねじ、押し込みまたはスナップ式、つめ／溝式の機構、柱／穴式の機構、あるいはこれらの組み合わせなどによって、回転させることができ、あるいはぴったりとかみ合わせることができる。とくに、図２に示した構造を、ここでも適用することが可能である。
【００２５】
図５の部分断面に示した他の実施の形態においては、針１８０が、開口または横穴１８２を有している。針１８０に同軸に配置された拡張器１８４が、実質的に中空である遠位部１８６と実質的に中実である近位部１８８とを有しており、これらの部位１８６および１８８が、剛または実質的に剛な長手部材１９０によって接続され、中断のある構造または不連続な構造を形成している。部位１８６および１８８の間にあって部材１９０によって占められていない空間は、環状または実質的に環状の空間１９４を構成しており、この空間へと血液が開口１８２から流入できる。鞘１９６は、医師が空間１９４内の血液を観察できるよう、透明または半透明である。
【００２６】
拡張器１８４は、血液の進入時に空気または気体が環状の空間１９４から出られるように、１つ以上の小さな開口、孔隙、または多孔質材料２００を例えば鞘１９６に有することができる。開口そのもの、または多孔質材料内の開口は、空気を逃がすが血液を保持するように充分に小さい。適切な多孔質材料としては、２．５ミクロンの孔サイズのセルフシール白色多孔ＨＤＰＥなど、多孔ポリマーが挙げられる。
【００２７】
案内ワイヤ２０４の遠位端２０２を、あらかじめ組み込んでおくことができ、すなわち針１８０の管腔２０６に位置させることができる。このやり方においては、血液が、針１８０へと流入して開口１８２を通って流出し、管腔２０６へと近位側に流れることがない。ひとたび医師が環状の空間１９４に血液を確認すると、案内ワイヤ２０４を管腔２０６を通って血管（図示されていない）へと遠位方向に進めることができる。針１８０、拡張器の長手部材１９０、および鞘１９６の間の関係についての別の図を、図５Ａに示した断面図に見て取ることができる。
【００２８】
拡張器部材の分離構成が、図６および７にさらに詳しく示されている。図６においては、図示の拡張器２１０が、円錐部材を有している。拡張器遠位部分２１２が、通路２１４が一方の円錐部材２１６の先端からもう一方の円錐部材２１８の先端まで延びている二重円錐の設計を備えている。少なくとも２つの長手安定部材２２０が、遠位部分２１２から近位部分２２２まで延びている。近位部分２２２は、通路２２６および近位側の回転または固定部２２８を備えるただ１つの円錐部材２２４を含むことができる。
【００２９】
図７に示した実施の形態は、図６に示した拡張器装置が通路２１４および２２６を通って延びる針２３２をさらに含んでいる拡張器‐針の組み合わせを含んでいる。針２３２は、回転または固定の機構を備える近位部分２３４を有している。
【００３０】
図８に示した実施の形態の部分図においては、拡張器２４０が、針２４２の周囲を巡って配置されている。拡張器２４０は、針２４２の遠位端２４６に向かって遠位方向に延びる遠位部分２４４を有している。あるいは、内側の細長い拡張器が、より大きい外側の拡張器の内側に同軸に位置している。内側の細長い部材を、血管の拡張および／または先端の保護のために針を覆って前進させることができる。図９Ａ〜９Ｃに示されているように、針２５２が、血管２５６の刺し穴２５４に位置している。案内ワイヤ２５８が、針２５２から血管２５６の管腔２６０へと延びている。針２５２の周囲に位置する拡張器２６２が、遠位部分２６４を有している。図９ｂに示されているように、拡張器の遠位部分２６４を、拡張器の遠位部分２６４の遠位端２６８が針２５２の遠位端２７０の遠位側へと延びるよう、針２５２を覆って前進させることができる。次いで、図９Ｃに示されているように、針２５２および拡張器２６２が案内ワイヤ２５８上を遠位側へと進められるとき、針の遠位端２７０が、拡張器の遠位部分２６４によって保護される。
【００３１】
図１０Ａおよび１０Ｂに示した実施の形態は、内側の拡張器２７６と外側の拡張器２７８とを備える同軸拡張器システムを含んでいる。拡張器２７６および２７８が、針２８０の周囲に配置され、内側の拡張器２７６の遠位端２８２が、最初は、外側の拡張器２７８の遠位端２８４のわずかに遠位側に位置している。内側の拡張器２７６の近位端（図示されていない）が、内側の拡張器の遠位端２８２によって針２８０の遠位端２８８を覆うべく、遠位側へと進められる。拡張器２７６および２７８は、針、拡張器、または針、拡張器、鞘の組み合わせが最適には案内ワイヤ（図示されていない）上で血管（図示されていない）へと進められ、あるいは血管から引き抜かれるときに、お互いおよび針２８０との相対位置を保つように相互作用でき、あるいはそのように保持されることができる。
【００３２】
図１０Ａおよび１０Ｂに示した同軸拡張器システムは、一方の拡張器を他方の拡張器に対して移動させる駆動システムを必要とする。内側の拡張器が、針の遠位端を覆うべく遠位側へと進められる一方で、外側の拡張器が不変に保たれ、あるいは定位置に保たれることが好ましい。拡張器システムを、外側の拡張器が相対的に実質的に所定の位置に保たれる一方で、内側の拡張器が押され、引かれ、あるいは遠位方向へと滑らされるように構成することができる。図１１に示した実施の形態においては、針の近位部分２９０の外周が、内側の拡張器の近位部分２９２および外側の拡張器部分２９４によって囲まれている。先細りである針ハブ２９６が、外側の拡張器の先細りの近位ハブ３０４の環状の溝３０２に収容される少なくとも１つの環状の突起またはリング２９８を有している。内側の拡張器ハブ３０６は、針２９０、針２９０へと取り付けられた別個の針部材、または針ハブ２９６の相応のねじ山３１０に係合するねじ山３０８を有している。内側の拡張器ハブ３０４は、内側の拡張器２９２の外側の拡張器２９４に対する回転を防止する溝３１６によって案内されつつ溝３１６内で移動する突起または翼部３１２を有している。当業者にとって公知であり、あるいは当業者にとって認識可能である他の機械的な構成も、それらが内側の拡張器を外側の拡張器に対して回転させることなく内側の拡張器の遠位部分を針の遠位部分を覆うように前進させることができるならば採用可能であることを、理解できるであろう。
【００３３】
いくつかの実施の形態においては、アクセス装置が、針へとあらかじめ組み込まれ、あるいは針へとあらかじめ組み込むことができる案内ワイヤと、鞘へとあらかじめ組み込まれ、あるいは鞘へとあらかじめ組み込むことができる拡張器とを備えることができる。装置を、組み立ての種々の段階におけるキットとして供給することができる。例えば、キットは、別個の針、案内ワイヤ、拡張器、および鞘を含むことができる。案内ワイヤを、針にあらかじめ組み込んでもよい。鞘を、あらかじめ拡張器に組み付けてもよい。鞘および拡張器を、あらかじめ針に組み付けてもよい。鞘、拡張器、および針を、案内ワイヤにあらかじめ組み付けてもよい。案内ワイヤを、針にあらかじめ組み込み、拡張器へとあらかじめ組み付けられた鞘を別途用意してもよい。拡張器、針、および案内ワイヤをあらかじめ組み立て、鞘を別途用意してもよい。
【００３４】
一実施の形態においては、以下のようにアクセスを得ることができる。針が血管へと進められる。アクセスが達成されたとき、案内ワイヤ（針へとあらかじめ組み込まれており、あるいはここで導入される）が、血管へと進められる。次いで、針が取り除かれ、あるいは途中まで引き戻され、拡張器（鞘が組み付けられており、あるいは鞘が組み付けられていない）が案内ワイヤ上を血管へと進められる。次に、拡張器にあらかじめ鞘が組み付けられている場合には、鞘を残して拡張器（および、随意によりワイヤ）が取り除かれる。拡張器に鞘が組み付けられていない場合には、拡張器が取り除かれ、鞘が案内ワイヤ上を血管へと進められる。
【００３５】
図１２は、拡張器４００の他の実施の形態を示している。拡張器は、単一の構成であってよい。遠位端４０４に膨らみ部分（または、「ブレット」）４１０を備えることができ、この部位が実際の拡張を実行する。遠位端は、挿入時の組織の傷を少なくするため、図示の円錐台形状などを備えて先細りである。ブレットは、血液を針（図示されていない）からブレットを介して鞘へと通すことができるよう、開口４１２を備えることができる。近位端４０２へと延びる拡張器の残りの部分は、小径のスパイン４０８であってよい。この構成は、拡張の実行のために拡張器の前方部分のみが必要であり、近位側の直径を小さくすることによってこの領域における鞘の容積を大きくでき、血液の流れの視認性を高めるとともに、凝固を少なくすることができるため、好ましいと考えられる。拡張器の膨らみ部分は、直径がほぼ一定または正確に一定である円筒形の領域４１３を有することができ、この円筒領域に対する鞘の先細りの密着が促進される。
【００３６】
図１２Ａは、拡張器４００の他の実施の形態を描いており、開口４１２が、膨らみ部分の近位側の推移部分に配置されている。
【００３７】
この配置構成を、針４１４、拡張器４００、および鞘４２０の典型的な配置構成を示した図１３において、よりよく理解することができる。針の先端４１５に進入する血液は、針を通って移動して、針の開口４１８を通ってブレットへと現れ、拡張器の開口４１２を通って鞘の空間へと進入する。図１３Ａ〜Ｃは、空間的関係をよりよく説明するために、図１３の実施の形態について図１３に示した横断面を示している。スパインを、スパインと針との間の容積が大きくならないように寸法付けることができ、この場合、スパインが実質的に拡張器と針との間の空間に寄与しないため、開口４１２の近位側においてスパインと針との間には血液がほとんど流れず、あるいはまったく流れない。
【００３８】
当然ながら、開口４１２および４１８は、最終的に血液を針の先端から鞘の空間および／または鞘の側枝へと（好ましくは、装置の外にではなく）流すことができるのであれば、さまざまであってよい。開口４１２（または、開口４１２に追加される他の開口）は、スパイン４０８に位置してもよい。針の開口４１８は、拡張器の端部から０．５センチメートル以上に位置でき、拡張器の先端の付近に位置でき、あるいは筒（または、ブレット）から円錐状の先端への移行の付近に位置することができる。拡張器の開口４１２は、針の開口４１８のすぐ近くにおいてブレットに位置できる（図１５）。あるいは、針の開口４１８とスパインに位置する拡張器の開口４１２とを、互いに整列させてもよい（図示されていない）。
【００３９】
図１３ＤおよびＥに示されているように、ブレット４１０は、切り欠き部４１１を備えることができる。切り欠き部は、拡張器と鞘との間の空間に寄与し、ブレットと鞘の内径との間の空間を効果的に増加させる。これにより、より大きな血流が可能になり、視認性を向上させることができる。この利益を、切り欠き部分４１１に開口４１２を配置することによってさらに促進できる。また、図１３ＤおよびＥは、ブレット４１１を、取り付け穴４０９にてスパイン４０８に取り付けられる別個の部品として描いている。代案として、ブレットおよびスパインを一体に形成してもよい。
【００４０】
図１４は、針‐拡張器‐鞘からなるアセンブリの他の実施の形態を示しており、ここでは拡張器の開口４１２が省略されている。代わりに、溝４２２が、ブレット４１０’の内側から鞘の空間へと延びるようにスパイン４０８の遠位端に形成されている。この実施の形態においては、針の先端４１５へと進入する血液が、針の開口４１８を通ってブレットへと流入でき、溝を通って鞘の空間へと流れることができる。
【００４１】
図１５および１６は、拡張器のスパイン（その結果として、拡張器ハブ）が省略されているまたさらなる実施の形態を示している。代わりに、ブレット４００’’（図１５）または４００’’’（図１６）がそれぞれ、針４１４または４１４’へと直接取り付けられている。図１５の実施の形態においては、針の先端へと進入する血液が、開口４１８を通ってブレットへと流入し、開口４１２を通って鞘の空間へと流れる。図１６の実施の形態においては、血液が開口４１８’へと針４１４’を流れ下り、鞘の空間へと直接流入する。ブレットは、中実であっても、中空であってもよい。これらの実施の形態のいずれかを使用する場合、針を１８０°回転させることによって（上述）、あるいは案内ワイヤ、探り針、または針先端の外側のスリーブで針を鈍らせることによって、静脈へと完全に挿入できる。これらの実施の形態は、血液の視認のために長い視認経路長をもたらし、４フレンチ以下などのきわめて小さな装置サイズにとくによく適していると考えられる。なぜならば、拡張器の一定の直径の筒またはスパインは、容易に視認できる血液の流れを可能にするためには、鞘の空間を多く占めすぎる可能性があるためである。
【００４２】
図１７〜２０は、血管アクセス装置のハブ・アセンブリ５００の種々の図を示している。ハブ・アセンブリは、針ハブ５０２、拡張器ハブ５２０、および鞘ハブ５４０を含むことができる。図示の針ハブは、把持性を向上させるべく凹所５１０および畝５１２が設けることができる指把持部５０４および５０８を備えている。針ハブは、中空であってよい。把持部を、休止時においては距離ｄだけお互いから隔てておくことができ、把持部を一体に押し付けることによって針ハブの形状を変化させることができる（さらに詳しくは後述する）。把持部５０４、５０８をそれぞれ、遠位側のヒンジ部５１４からアーム状に延ばすことができ、それぞれの半分５１５および５１６を針ハブの遠位側の軸に供することができる。中空針（図示されていない）を、遠位部分５１４において針ハブへと取り付けることができる。針ハブの遠位部分５１４を、拡張器ハブ５２０のチャンバ５２８に収容することができる。針ハブは、穿孔のための針の位置合わせにおいてユーザを助けるべく針先端の斜面の向きを示すために、点などの１つ以上のマーキングを備えることができる。さらに、針ハブは、畝（図示）または凹所（図示されていない）など、拡張器ハブの近位部分の相補的造作５３０と協働する嵌め合わせ造作５１８を備えている。この配置構成によって、針ハブが、嵌め合わせ造作の相互作用によって拡張器ハブに保持される。把持部がお互いに向かって押し付けられるとき、針ハブの嵌め合わせ造作５１８が、圧縮されて拡張器ハブの嵌め合わせ造作５３０から外れ、針ハブが拡張器ハブから解放される。これを、図１９において最もよく理解することができる。次いで、依然として鞘へと接続されている拡張器ハブを、針を覆うユニットとしてアクセス対象の血管へと前進させることができる。さらに、嵌め合わせ造作５１８を凹所５１９に係合させて針ハブを案内ワイヤ上に固定することによって、安全な開始／輸送の構成をもたらすために、針ハブを拡張器ハブの中へと動かすことができる（あるいは、上述のように、針を拡張器および鞘と一緒に前進させて安全のための容器内で１８０°回転させることができる）。
【００４３】
嵌め合わせ造作５３０は、図に示されているような穴であってよい。これは、さらに回転の固定を提供し、針の斜面が正しく向けられるように保証するうえで役に立つ。さらに、この柱／穴の構成によれば、作業者が針ハブを取り出し、もとの向きに対して１８０°で再度挿入することができる。これには、左利きのユーザを助けることができ、あるいは空間的または身体構造的制約ゆえにこの向きが有利である処置において装置の配置を容易にすることができる。あるいは、側部ポートの向きをパッケージにおける向きから向け直すなど、回転の自由度がより望まれ、あるいは適切である場合には、造作５３０が溝であって回転の自由度を提供してもよい。
【００４４】
図示の拡張器ハブ５２０は、拡張器（図示されていない）を取り付けることができる遠位部分５３４を有している。さらに、拡張器ハブの遠位部分は、拡張器を鞘に係合させた状態に保つため、鞘５４０の近位部分の相補的嵌め合わせ造作と相互作用する遠位側の嵌め合わせ造作５３２を有している。これら相補的造作は、一体となって例えばツイスト‐ロックの造作を形成することができ、拡張器を把持（おそらくは、凹所５２２および畝５２４にて）して鞘に対して回転させることで、拡張器を鞘から解放できる。拡張器と鞘との間の嵌め合わせ造作を、以下でさらに詳しく説明する。
【００４５】
鞘５４０は、本体部分５４１およびキャップ５４２を備えており、これらの間にバルブ空間５５４が定められている。本体部分が、拡張器および／または針および／または案内ワイヤを収容できるチャンバ５５８を定めている。さらに、本体部分は、遠位側のチャネル５６０を定めることができる。さらに、鞘は、洗浄やサンプリングなどのためのポート５４４を提供できる。鞘は、凹所５４８および畝５５０などの把持部、ならびに縫合糸ループ５５１をさらに備えることができる。図２０が、装置を貫いて針ハブ、拡張器ハブ、および鞘によって定められるチャネルを通過する案内ワイヤ５６８を示している。鞘は、引き剥がし式の鞘であってよい。
【００４６】
さらに図２０は、いくつかの典型的な変更を含む他の実施の形態を示している。いくつかの実施の形態においては、針ハブ５０２’の把持部５０４’および５０８’の外表面を、（図１７に示されているようにお互いに向かって先細りにするのではなく）お互いからそらすことができ、これは、ユーザが針ハブを握りつつ、拡張器／鞘の組み合わせを前進させ、かつ／または針ハブを後方へと引くうえで助けになると考えられる。鞘キャップ５４２は、拡張器ハブの容易な固定または解放を可能にすべくばね状の作用をもたらすために、１つ以上の溝５６４を有することができる（さらに詳しくは後述）。筒を、ポート５４４に取り付けることができ、さらには／あるいはポート５４４に一体に形成することができる。拡張器ハブ５２０は、針の外径を拡張器ハブの内径に対して封止するために、遠位端の付近にゴム・シールを有することができる。シールは、上述した理由ゆえ、装置が静脈アクセスの処置に使用される場合にとくに有用であると考えられる。さらに、上述のとおり、高粘性流体の滴を針に含ませることができる。鞘は、鞘を所定の位置に保持しつつ拡張器を引き戻すための把持面をもたらすため、リング５６２または他の隆起を備えることができる。鞘の本体部分は、平滑であってよい。
【００４７】
図１７〜２０の実施の形態について、いくつかの典型的な（必須ではない）寸法は以下のとおりである。
・針の孔は、２５Ｇ〜１４Ｇまでの直径の範囲にあり、好ましくは２１Ｇである。
・針の露出長さは、３〜７センチメートルである（橈骨動脈経由の中央アクセスにおいては３ｃｍ、典型的な用途においては５ｃｍ、肥満の患者においては６ｃｍ、肥満の患者の大腿アクセスにおいては７ｃｍ）。
・鞘の長さは、３〜１５ｃｍ、好ましくは５〜１５ｃｍ、より好ましくは５．５ｃｍまたは１１ｃｍである。
・鞘のサイズは、３〜１０Ｆｒ、好ましくは４〜８Ｆｒ、より好ましくは橈骨アクセスにおいて４Ｆｒ、あるいは鎖骨下アクセスにおいて６Ｆｒまたは７Ｆｒである。
・針の開口は、拡張器端部から０．５センチメートル以上であり、拡張器の先端の付近であり、あるいは筒から円錐形の先端への移行の付近である。
・針は、針の先端から６センチメートル以内に第２の開口を有してもよい。
【００４８】
鞘は、放射線を透さない先端を有することができる。
【００４９】
いくつかの実施の形態においては、吸引、洗浄、または気密が必要である（中心静脈カテーテル法およびインターベンショナル・ラジオロジにおける種々の処置など）。そのような状況においては、ワイヤが突き出ていて大気に対して開放されている針ハブの近位端を閉鎖することが重要でありうる。案内ワイヤを針ハブに拘束する構造は、本明細書の各所に記載されているが、いくつかの状況においては、拘束がさらに気体または液体を通さないシールをもたらさなければならない。そのようなシールの一例は、Ｔｕｏｈｙ‐Ｂｏｒｓｔ（「Ｔ‐Ｂ」）バルブである（Ｔｕｏｈｙ‐Ｂｏｒｓｔバルブの例が、ここでの言及によって本明細書に取り入れられたものとする米国特許第５，０５０，６０６号の図８に示されている）。Ｔ‐Ｂバルブまたは他の被操作バルブ（作業者によって操作されるダックビル構成のバルブなど）を、針ハブに備えることができる。使用時、使用に先立ってバルブを閉じることができる（装置をバルブを閉じた状態で出荷でき、あるいは処置に先立ってバルブを手動で閉じてもよい）。これは、案内ワイヤの周囲をシールし、案内ワイヤを所定の位置に保持するように機能できる。針によって血管に孔が開けられたとき、案内ワイヤの前進を可能にすべくバルブを開く（針の先端が揺れないように緩やかに）ことができる。バルブを開いたままにしても、あるいは案内ワイヤを前進位置に保持するために閉じてもよい。
【００５０】
上述のように、動脈または静脈のどちらにアクセスが得られたかの確認を、アクセス装置に流入する血液の色を観察することによって得ることができる。しかしながら、単純な色の観察は、充分な確認として機能しない可能性もある。逆流する血液の圧力を測定して、動脈の圧力であるか、あるいは静脈の圧力であるかを判断するために、圧力計を使用することができる。トランスデューサまたはカラム２０１０（図２０Ｂ）などといった圧力計を、本明細書に記載のアクセス装置の側部ポートに取り付けることができ、あるいはそのような圧力計で、本明細書に記載のアクセス装置の側部ポートの一部を形成することができる。カラムが使用される場合、カラムを垂直に保持することができ、あるいは垂直成分を含む或る他の角度に保持することができる。アクセス装置の遠位端が、血管または加圧された液体を有する他の構造へと進入したとき、血液または加圧された液体が、装置を通ってカラムへと通過でき、その高さ２０１２が液体の圧力を表わしている。比較的高い圧力が動脈へのアクセスを示す一方で、比較的低い圧力は、静脈へのアクセスを示している。液体カラムの高さの測定は、別個の器具（定規）にて行うことができ、あるいは側部ポートのカラムにマーカ２０１４で目盛りが付されているならば、直接行うことが可能である。カラムは、シリンジ・コネクタ２０２０へのアクセスを制御する止めコック２０１８を備えることができる。
【００５１】
側部ポートは、側部ポート内の血液または他の物質の視覚化を可能にするため、透明、半透明、または光透過性であってよい。いくつかの実施の形態においては、血液または他の液体を側部ポートに進入するまでは視認できないように、鞘が不透明であって、側部ポートが透明、半透明、または光透過性であってよい。
【００５２】
カバーを、案内ワイヤのうちで案内ワイヤが針内に位置するときに針ハブから突き出す部分、あるいは突き出すと考えられる部分を覆うなど、案内ワイヤの全体または一部を覆って配置することができる（図２０Ｃ）。カバーは、案内ワイヤの手作業による配置を容易にし、触覚の「感覚」を維持するため、柔軟であってよい。カバーは、装置のとくには針ハブの近位端の気密または流体を通さないシールをもたらすことができる。さらに、カバーは、案内ワイヤの滅菌を保護することができる。さらに、カバーは、（案内ワイヤへと取り付けられることによって）ワイヤが装置の遠位端を出て過剰に前進させられることがないようにすることができ、あるいは（装置の或る部分に取り付けられることによって）近位端からの脱落または除去を防止することができる。さらには、とくには側部ポートが存在しない場合に、こぼれた血液または他の流体を収容すべく機能することができる。使用時、案内ワイヤが進められるとき、カバーのたるみを案内ワイヤの周囲に「集合」させることができる（図２０Ｄ）。
【００５３】
いくつかの実施の形態においては、拡張器ハブを、ハブへと取り付けられて針を囲み、あるいは部分的に囲むフィラメント（図８７）または膜（図８６）などによって、針ハブへと取り付けることができる（図８５）。この取り付けは、針が拡張器から完全に引き取られて、鋭い針の先端が露出することがないようにしている。これも、血液の閉じ込めをもたらすことができる。
【００５４】
いくつかの実施の形態においては、拡張器ハブが針に、それらの相対位置に応じて相互作用することができる。そのような１つの実施の形態は、拡張器ハブの内壁から管腔への突起を含んでいる。中実の針カニューレは、これらの突起の間をいずれの運動方向にも通過することができる。一方で、横穴によって中断されている針カニューレの部位が拡張器ハブを通過するときは、突起が穴に引っ掛かる。図７６および７７に示した例においては、突起が方向性であり、すなわち拡張器および針が、拡張器の前進または針の引き戻しによって分離することがないようにしている。しかしながら、（拡張器の引き戻し、または針の前進による）拡張器および針の一体での押し戻しは防止していない。図７８および７９に示した例では、突起が方向性でなく、ひとたび突起のうちの１つが針の横穴に引っ掛かり、あるいは針の横穴へと突き出したならば、拡張器および針をさらに一緒に滑らすことも、さらにそれらを分離させることも、不可能である。
【００５５】
いくつかの実施の形態においては、拡張器ハブが、針の先端が引き込まれて拡張器ハブへと進入したときに針の遠位端へと装着される鈍化装置を備えることができる。図８０〜８４が、１つの例を示している。図８０においては、鈍化装置が、針の軸によって開いた状態に保持されている。図８１は、図８０に示した断面を示している。針が引き込まれた場合（図８２および８３）、鈍化装置がパチンと閉じ、針の遠位端を保持する。針が完全に装置から引き抜かれるとき、針の先端は保護されている（図８４）。
【００５６】
いくつかの実施の形態においては、装置が、梱包または針の導入時に案内ワイヤが遠位側へと外れることがないようにするため、例えば案内ワイヤへと取り付けることができるクリップまたは他の阻止片を備えることができる。固定されない場合、案内ワイヤが、針の横穴を過ぎて滑り、血液の流れを妨げる可能性があり、あるいは針の斜めの先端を過ぎて滑り、実質的に鈍くする可能性がある。図２１〜２７は、ワイヤ把持具またはストッパの例を示している。図２１および２２に示されているように、ワイヤ把持具６２０を、案内ワイヤ５６８をフィンガ６２４および６２６の間にきつく保持するように、針ハブの溝６２１（図２３、ならびに図２８および２９）に挿入することができる。作業者は、案内ワイヤを前進させる準備ができたとき、タブ６２２を引くことによって把持具を取り除くことができる。
【００５７】
あるいは、図２３および２４に示したワイヤ・ストッパ６３０を使用することも可能である。このストッパも同様に、フィンガ６３６および６３８を有している。これらが、本体６３２から延びている。案内ワイヤの近位端を、穴６３４への接着などによって、本体６３２へと取り付けることができる。これにより、案内ワイヤがループに保持され、案内ワイヤの近位端が振れ回ることがなくなる。案内を進めるべき場合には、ストッパを取り外すことができる。その後に、ストッパを、案内ワイヤを操縦し、かつ／または針ハブを超えての前進を防止するためのハンドルとして使用できる。ハンドル／おもりの他の例が、図５３、５９、および６９に示されている。それらは、必ずしも案内ワイヤの把持または阻止のための構造を備えなくてもよい。さらに、案内ワイヤは、処置の際に案内ワイヤをどれだけ前進させたかを示すため、その長さのとくには近位端に沿って或る間隔でマーキングを備えることができる。
【００５８】
図２４Ａ〜Ｃは、針ハブ５０２の遠位側のオリフィスにおいて案内ワイヤを所定の位置に押し付けるべく案内ワイヤに対して配置することができるくさび６６０の実施の形態を示している。図示の実施の形態においては、くさびが弧状の部品であるが、丸または角のある断面など、他の形状も可能である。くさびは、ユーザにより容易に把持できる表面を提供する拡大された遠位部分６６２を備えることができる。血管アクセス装置を、輸送時および血管アクセスを得るための初期の工程の最中に案内ワイヤが動かないようにするため、くさびを所定の位置に位置させた状態で出荷することができる。ユーザが案内ワイヤを前進させる準備ができたとき、例えば遠位部分を把持することによって針ハブから引き出すことで、くさびを取り除くことができる。
【００５９】
図２５〜２７は、案内ワイヤ係止ピンおよび係止ピンを収容するように構成された装置を示している。装置において、例えば把持部５０８’（図示）または装置の他の部位に穴６４０を形成することができる。ヒッチ・ピン・クリップ６４２などのピンを、ピンの一方のアームが穴を通過し、他方のアームが案内ワイヤを挟み面へと押し付けるように、穴へと配置することができる。随意により、案内ワイヤを、図２７に示すように近位端をピンに引っ掛けることによって抑制することができる。ピンの形状に相補的な保持用の隆起を、穴６４０に形成することができ、ピンがこの隆起に乗り上げて嵌り合い、穴に良好に保持される。
【００６０】
図２８〜３２は、非対称な血管アクセス・ハブ・アセンブリの実施の形態を示している。図２８および２９は、針ハブ５０２’’を示している。ハブが、上述のように２つの把持部５０４’’および５０８’’を定めているが、把持部の一方（図では５０４’’）のみが傾けられている。把持部をつまむことで、把持部５０４’’が把持部５０８’’に向かって動き、案内ワイヤを締め付ける（図３２が、このたわんだ形状を示している）。この構成は、可動部品の数を少なくし、したがって製造プロセスの単純化および設計公差の緩和を可能にする。針ハブは、拡張器ハブの相補的造作５３０’と嵌め合わせ造作５１８’を備えることができる。把持部をつまむことによって把持部５０４’’が変形し、造作５１８’が相補的造作５３０’から外れる。傾けられていない把持部５０８’’から造作５１８’を省略することが可能である。
【００６１】
本明細書に記載のハブの実施の形態のいずれも、拡張器／鞘アセンブリを針ハブから取り外す前の回転を防止するため、拡張器ハブの相補的溝６５２（図３１）に係合する１つ以上のフィン６５０またはピンをさらに備えることができる。
【００６２】
図３２ＡおよびＢは、針ハブ５０２’’’および拡張器ハブ５２０Ａのさらなる典型的な実施の形態を示している。やはり針ハブは、ただ１つの柱５１８’を有することができる。この場合、一方のフィン６５０ａが、一方の把持フィンガ５０８’’’に配置され、他方のフィン６５０ｂが、他方の把持部５０４’’’に配置されている。拡張器ハブは、把持特有のフィンに整列し、お互いには整列していない相補的な溝６５２Ａ、６５２Ｂを有している。
【００６３】
図３３および３４に示されているように、鞘の筒に、前進の際の把持を改善するために畝および／または凹所を形成することができる。作業者の好みに応じた配置にて鞘へと取り外し可能に取り付けられ、あるいは留められる別途の構成部品（例えば、シリコーン・ゴムなどの材料からなる）が、鞘の前進のために把持を改善する他のやり方である。そのような構成部品を、キットに含ませることができる。
【００６４】
図３５は、ハブ・アセンブリのさらに別の実施の形態を示しており、図３６〜３９は、その種々の部分を示している。この図示の実施の形態は、すでに述べたような鞘５４０および針ハブ５０２’を含んでいる。拡張器ハブ５２０’’が、拡張器ハブの針ハブおよび鞘とのやり取りを可能にする拡張器の内側のインサート５７４を含んでいる。インサートは、嵌め合わせ造作５３０について上述したような嵌め合わせ造作５３０’（図３９）を含んでよい近位端（図３６に示されている）を備えている。インサート５７４を、単一の部品（図示されていない）から製作することができ、あるいは主たる部品５７８（図３７）および小さな部品５８０（図２８）など、複数の部品から製作することができる。主たる部品および小さな部品を、接続ダウエルを収容すべく収容部５８２、５８２を整列させるなど、さまざまなやり方で一体にかみ合わせることができる。インサートは、図示の凹所など、鞘の相補的取り合い用の造作（例えば、図３５に示されている）と取り合う遠位側の取り合い用の造作５３２’を備えることができる。
【００６５】
図１７〜３９の実施の形態は、以下のとおり使用される。針が血管へと挿入される。血液の流れを観察できる。案内ワイヤのストッパ、把持具、クリップ、またはくさび（存在する場合）を取り除いて、遠位方向への前進のために案内ワイヤを解放することができる。案内ワイヤが針へと進められ、さらに血管へと進められる。これにより、案内ワイヤが針の先端を保護し、後の操作の際に外傷を防止するうえで役に立つ。針ハブの把持部を圧迫すると、針ハブの近位部分がてこの作用にて案内ワイヤを締め付けて保持する一方で、針ハブの遠位部分は、嵌め合わせ造作５１８を介し、嵌め合わせ造作５３２を介して拡張器ハブから自由になる。その結果、鞘／拡張器ハブを、血管内へと前進させることができる。ここで案内ワイヤを取り除くことができ、あるいは後の段階で取り除くことができる。この時点で、針は拡張器によって覆われており、したがってさらに保護されている。次いで、拡張器を鞘から切り離し（図３２〜３７に関して詳述した）、引き戻すことができる。針は、拡張器の内側で依然として保護されており、これら２者を、随意により案内ワイヤと一緒に取り出し、廃棄することができる。これにより、鞘が、カテーテルの挿入などといった使用に備えて、血管内の所定の位置に残される。
【００６６】
図４０〜４３は、ハブ・アセンブリのさらに別の実施の形態の種々の図を示している。この実施の形態においては、針ハブが、貝殻状のアセンブリ５８２によって形成されている。ピン５８４を、脚部５８６が案内ワイヤ６０３をまたいでピンの渡り部５８５の下方に案内ワイヤ６０３を抑止するように、一方の殻の開口を貫いて挿入することができる。案内ワイヤは、手持ち部６０８および／またはストッパ６１０を有することができる。針６０１は、例えばボルトまたはねじ６０２あるいは他の容易に理解できるやり方によって、針ハブへと固定されている。
【００６７】
シリコーン・チューブ６００で、或る程度のクッションをもたらすべく案内ワイヤを囲むことができる。装置が使用されるとき、針が血管へと挿入される。ピンが取り除かれて、案内ワイヤが自由になり、針を通って進められる。ひとたび案内ワイヤが配置されると、貝殻の近位部分５９０を一体に圧迫することによって枢支点５９２を中心として回転させ、タブ５８８によって一体に保持することができる。貝殻の近位部分を圧迫することで、くぼみ５９８が案内ワイヤ６０３および／またはチューブ６００に突き当たり、案内ワイヤを針ハブに対して動かないように固定する。同時に、貝殻の枢動によって、貝殻上の固定具６０４が回転して鞘５４０の対応する切り欠き６０５を避け、拡張器ハブ５２０および鞘５４０を解放して、針ハブ５８２に対してスライドできるようにする。次いで、拡張器ハブ／鞘アセンブリを、すでに述べたように前進させることができる。
【００６８】
図４４〜４８は、拡張器ハブ・アセンブリの他の実施の形態の構成部品のいくつかの図を提示している。すでに述べたように、拡張器は、インサート（この場合は、一部品である）を含むことができる。拡張器および鞘を前進させた後、拡張器ハブの外側部品を、インサートに対して回転させることができる。これにより、拡張器ハブの外側部品の内側の様相の突起４４０２が、インサートの凹所４５０２に乗り、インサートの近位端をたわみ点４５０４においてたわませて針へと押し付け、針を拡張器ハブに対して固定する（これによって、針の先端が安全のために拡張器の内側に捕らえられる）。同時に、拡張器ハブの遠位端のカム・システムによって、拡張器ハブが鞘から切り離される。例えば、拡張器ハブの遠位端が、最初は鞘キャップの内表面の突起に係合している溝４５０３を備えることができ、拡張器ハブが回転させられたとき、突起が溝から自由になり、拡張器ハブを鞘からスライドさせることができる。図４７に示されているように、拡張器ハブは、流体および／または気体を通さないシールの維持を助けるために、自身のシール４７０２を備えることができる。
【００６９】
図４９〜５２は、鞘５４０の種々の図および細部を示している。拡張器ハブとの取り合い部が、拡張器が上述のように鞘から積極的に切り離されるまで、拡張器の解放を防止すべく拡張器に係合できる。バルブ・キャップおよびバルブ本体が、キャップの本体に対する回転を防止するために、相補的造作４９０２、４９０４を備えることができる。それぞれここでの言及によって本明細書に取り入れられたものとする米国特許第２，０２２，３６９号、第５，２７３，５４６号、第４，０００，７３９号、第４，４２４，８３３号、および第４，４３０，０８１号に記載のものなど、幅広くさまざまなシールを使用することができる。１つの典型的なシールの分解図が、図５２に示されており、シールが、穴を有する第１の部品およびスリットを有する第２の部品を備えている。片側が穴を取り入れ、反対側がスリットを取り入れている一部品構成も、望ましいと考えられる。このようなバルブを、作業者によって操作されることがないため、「受動」バルブと呼ぶことができる。鞘は、これに加え、あるいはこれに代えて、Ｔｕｏｈｙ‐Ｂｏｒｓｔバルブなどといった被操作のバルブを備えることができる。被操作のバルブを、鞘の有効内径を制御する（鞘を通って挿入される装置がぴったりと適合するように）ために使用することができ、さらには／あるいは空気または液体を漏らさないシールをもたらすために使用することができる。被操作のバルブを、鞘へと装着される別個の部品によって鞘に備えることができる。
【００７０】
あるいは、鞘の管腔が、図５１に示した推移ではなく、円錐台形状または他の滑らかな形状を有することができる。
【００７１】
図５３〜５８、５９〜６８、および６９〜７５は、針‐拡張器‐鞘のハブ・アセンブリの３つのさらなる実施の形態を図示および説明している。
【００７２】
図５３は、アセンブリの出発状態を示している。図５４において、針ハブのタブが圧迫され、針ハブを解放して拡張器および鞘の前進を可能にしている。図５５において、拡張器ハブが回転させられて引き込まれる。図５６において、拡張器、針、およびワイヤが取り除かれる。図５７および５８は、タブ・ラッチ５８０２、排出ポート５８０４、および生きているヒンジ・タブ５８０６を示す他の図を提示している。
【００７３】
図５９および６０は、他のアセンブリの出発状態を示している。図６１において、針ハブを、針の斜面の配向および拡張器ハブの解放のために１８０°回転させることができる。図６２において、拡張器ハブおよびバルブ本体が、針ハブのキー付きのディスクから解放される。図６３〜６６は、拡張器ハブが１８０°のストッパを有する針ハブからどのように解放されるのかについて、詳細を示している。図６７および６８においては、拡張器ハブを取り外しのためにバルブ本体から解放するため、タブが締め付けられている。
【００７４】
図６９は、さらに他のアセンブリの出発状態を示している。図７１に示されているように、針ハブの遠位側の縁が、針の斜面に対応するように斜めにされており、医師に針の向きを示している。図７２において、針ハブが、戻り止めから外れるように回転させられて、拡張器ハブおよびバルブ本体から解放される。図７０および７３において、針ハブが解放されることで拡張器ハブが露わになり、鞘／バルブが対象へと挿入される。図７４および７５は、拡張器ハブをバルブ本体から分離させて針およびワイヤと一緒に取り除くことができるようにするための拡張器ハブの回転を示している。
【００７５】
末梢穿刺中心静脈カテーテル（ＰＩＣＣ）にとくによく適すると考えられるアクセス装置の一実施の形態は、バルブを持たない針ハブならびにバルブまたは側部ポートを持たない剥離可能な鞘を備えている。
【００７６】
本明細書に開示のアクセス装置を、血管アクセスを得るため以外にも、幅広くさまざまな目的に使用することができる。例えば、膿瘍からの流体の排出、気胸からの空気の排出、および腹腔へのアクセスに使用することが可能である。排出のために使用される装置は、鞘の遠位端の付近など、鞘に側部ポートを備えることができる。
【００７７】
ここに開示した装置は、従来からの生理学的に認容可能な材料から製作することができる。例えば、針を、剛なポリマーまたはステンレス鋼やニチノールなどの金属で製作できる。チューブ、ブレット、鞘、拡張器、および／またはスパインを、上述の金属ならびに／あるいはポリエチレン、ポリプロピレン、パーフルオロ（エチレン‐プロピレン）コポリマーなどのフルオロポリマーおよびコポリマー、ポリウレタン・ポリマー、ＰＥＢＡＸ（登録商標）、ＰＥＥＫ、ナイロンコポリマー、および共押し出し材などの適切なポリマー材料で製作できる。他の部材を、上述の金属ならびに／あるいはポリエチレン、ポリカーボネート、ＡＢＳ、ポリプロピレン、パーフルオロ（エチレン‐プロピレン）コポリマーなどのフルオロポリマーおよびコポリマー、ポリウレタン・ポリマーまたはコポリマーなどの適切なポリマー材料で製作できる。
【００７８】
さまざまな特徴を別個独立に示すことができるが、当然ながら、それらを種々の実施の形態に組み合わせることが可能である。例えば、血管アクセス装置が、図１７〜２０に示したハブ・アセンブリを、図１２〜１６に示したようなブレット拡張器ならびに図２１〜２７に示した案内ワイヤ用のストッパ、把持具、および／またはくさびと一緒に備えることができる。種々さまざまな他の組み合わせも可能であり、容易に想到できる。
【００７９】
＜関連出願の相互参照＞
この出願は、２００５年３月３０日付の米国特許仮出願第６０／６６６，５４７号および２００６年２月１４日付の米国特許仮出願第６０／７４３，２８５号の利益を主張し、この両者は、ここでの言及によって本明細書に取り入れられるものとする。
【図面の簡単な説明】
【００８０】
【図１】血管アクセス装置の一実施の形態の概略図である。
【図２】血管アクセス装置の一実施の形態の概略図である。
【図３】他の実施の形態の概略図である。
【図４】他の実施の形態の概略図である。
【図５】さらなる実施の形態の部分断面図である。
【図５Ａ】線５Ａ‐５Ａに沿った断面である。
【図６】他の実施の形態の部分断面図である。
【図７】さらに他の実施の形態の部分断面図である。
【図８】拡張器の遠位部分が遠位方向に延びている遠位方向に延びている実施の形態の部分断面図である。
【図９Ａ】上記開示の血管アクセス装置の使用の概略図である。
【図９Ｂ】上記開示の血管アクセス装置の使用の概略図である。
【図９Ｃ】上記開示の血管アクセス装置の使用の概略図である。
【図１０Ａ】同軸の拡張器システムを有する実施の形態の概略図である。
【図１０Ｂ】同軸の拡張器システムを有する実施の形態の概略図である。
【図１１】図１０ＡおよびＢのシステムの近位部分の概略の断面図である。
【図１２】拡張器の実施の形態を示している。
【図１２Ａ】拡張器の実施の形態を示している。
【図１３】針‐拡張器‐鞘アセンブリの実施の形態の長手断面を示している。
【図１３Ａ】図１３に示した横断面を示している。
【図１３Ｂ】図１３に示した横断面を示している。
【図１３Ｃ】図１３に示した横断面を示している。
【図１３Ｄ】拡張器の他の実施の形態を示している。
【図１３Ｅ】拡張器の他の実施の形態を示している。
【図１４】針‐拡張器‐鞘アセンブリのさらなる実施の形態を示している。
【図１５】針‐拡張器‐鞘アセンブリのさらなる実施の形態を示している。
【図１６】針‐拡張器‐鞘アセンブリのさらなる実施の形態を示している。
【図１７】血管アクセス装置のハブ・アセンブリを示している。
【図１８】図２の実施の形態の斜視の長手断面を示している。
【図１９】図１の実施の形態の側面長手断面を示している。
【図２０】針‐拡張器‐鞘ハブ・アセンブリの他の実施の形態を示している。
【図２０Ｂ】アクセス装置のさらなる特徴を示している。
【図２０Ｃ】アクセス装置のさらなる特徴を示している。
【図２０Ｄ】アクセス装置のさらなる特徴を示している。
【図２１】案内ワイヤの把持具またはストッパの種々の実施の形態を示している。
【図２２】案内ワイヤの把持具またはストッパの種々の実施の形態を示している。
【図２３】案内ワイヤの把持具またはストッパの種々の実施の形態を示している。
【図２４】案内ワイヤの把持具またはストッパの種々の実施の形態を示している。
【図２４Ａ】案内ワイヤの把持具またはストッパの種々の実施の形態を示している。
【図２４Ｂ】案内ワイヤの把持具またはストッパの種々の実施の形態を示している。
【図２４Ｃ】案内ワイヤの把持具またはストッパの種々の実施の形態を示している。
【図２５】案内ワイヤの把持具またはストッパの種々の実施の形態を示している。
【図２６】案内ワイヤの把持具またはストッパの種々の実施の形態を示している。
【図２７】案内ワイヤの把持具またはストッパの種々の実施の形態を示している。
【図２８】非対称な針ハブの実施の形態および対応する拡張器ハブを示している。
【図２９】非対称な針ハブの実施の形態および対応する拡張器ハブを示している。
【図３０】非対称な針ハブの実施の形態および対応する拡張器ハブを示している。
【図３１】非対称な針ハブの実施の形態および対応する拡張器ハブを示している。
【図３２】非対称な針ハブの実施の形態および対応する拡張器ハブを示している。
【図３２Ａ】非対称な針ハブの実施の形態および対応する拡張器ハブを示している。
【図３２Ｂ】非対称な針ハブの実施の形態および対応する拡張器ハブを示している。
【図３３】典型的な鞘の横断面を示している。
【図３４】典型的な鞘の横断面を示している。
【図３５】針‐拡張器‐鞘ハブ・アセンブリの他の実施の形態を示している。
【図３６】図２１の実施の形態の種々の構成部品を示している。
【図３７】図２１の実施の形態の種々の構成部品を示している。
【図３８】図２１の実施の形態の種々の構成部品を示している。
【図３９】組み立てられた図３７および図３８の構成部品を示している。
【図４０】針‐拡張器‐鞘ハブ・アセンブリの他の実施の形態の種々の図を示している。
【図４１】針‐拡張器‐鞘ハブ・アセンブリの他の実施の形態の種々の図を示している。
【図４２】針‐拡張器‐鞘ハブ・アセンブリの他の実施の形態の種々の図を示している。
【図４３】針‐拡張器‐鞘ハブ・アセンブリの他の実施の形態の種々の図を示している。
【図４４】典型的な拡張器ハブの種々の構成部品を示している。
【図４５】典型的な拡張器ハブの種々の構成部品を示している。
【図４６】典型的な拡張器ハブの種々の構成部品を示している。
【図４７】典型的な拡張器ハブの種々の構成部品を示している。
【図４８】典型的な拡張器ハブの種々の構成部品を示している。
【図４９】典型的な鞘の種々の図を示している。
【図５０】典型的な鞘の種々の図を示している。
【図５１】典型的な鞘の種々の図を示している。
【図５２】鞘バルブの典型的な実施の形態の分解図を示している。
【図５３】針‐拡張器‐鞘アセンブリの他の典型的な実施の形態の種々の図および動作を示している。
【図５４】針‐拡張器‐鞘アセンブリの他の典型的な実施の形態の種々の図および動作を示している。
【図５５】針‐拡張器‐鞘アセンブリの他の典型的な実施の形態の種々の図および動作を示している。
【図５６】針‐拡張器‐鞘アセンブリの他の典型的な実施の形態の種々の図および動作を示している。
【図５７】針‐拡張器‐鞘アセンブリの他の典型的な実施の形態の種々の図および動作を示している。
【図５８】針‐拡張器‐鞘アセンブリの他の典型的な実施の形態の種々の図および動作を示している。
【図５９】針‐拡張器‐鞘アセンブリのさらなる典型的な実施の形態の種々の図および動作を示している。
【図６０】針‐拡張器‐鞘アセンブリのさらなる典型的な実施の形態の種々の図および動作を示している。
【図６１】針‐拡張器‐鞘アセンブリのさらなる典型的な実施の形態の種々の図および動作を示している。
【図６２】針‐拡張器‐鞘アセンブリのさらなる典型的な実施の形態の種々の図および動作を示している。
【図６３】針‐拡張器‐鞘アセンブリのさらなる典型的な実施の形態の種々の図および動作を示している。
【図６４】針‐拡張器‐鞘アセンブリのさらなる典型的な実施の形態の種々の図および動作を示している。
【図６５】針‐拡張器‐鞘アセンブリのさらなる典型的な実施の形態の種々の図および動作を示している。
【図６６】針‐拡張器‐鞘アセンブリのさらなる典型的な実施の形態の種々の図および動作を示している。
【図６７】針‐拡張器‐鞘アセンブリのさらなる典型的な実施の形態の種々の図および動作を示している。
【図６８】針‐拡張器‐鞘アセンブリのさらなる典型的な実施の形態の種々の図および動作を示している。
【図６９】針‐拡張器‐鞘アセンブリのさらに別の典型的な実施の形態の種々の図および動作を示している。
【図７０】針‐拡張器‐鞘アセンブリのさらに別の典型的な実施の形態の種々の図および動作を示している。
【図７１】針‐拡張器‐鞘アセンブリのさらに別の典型的な実施の形態の種々の図および動作を示している。
【図７２】針‐拡張器‐鞘アセンブリのさらに別の典型的な実施の形態の種々の図および動作を示している。
【図７３】針‐拡張器‐鞘アセンブリのさらに別の典型的な実施の形態の種々の図および動作を示している。
【図７４】針‐拡張器‐鞘アセンブリのさらに別の典型的な実施の形態の種々の図および動作を示している。
【図７５】針‐拡張器‐鞘アセンブリのさらに別の典型的な実施の形態の種々の図および動作を示している。
【図７６】捕捉機構を有する装置の種々の実施の形態および図を示している。
【図７７】捕捉機構を有する装置の種々の実施の形態および図を示している。
【図７８】捕捉機構を有する装置の種々の実施の形態および図を示している。
【図７９】捕捉機構を有する装置の種々の実施の形態および図を示している。
【図８０】鈍化機構を有する装置の種々の実施の形態および図を示している。
【図８１】鈍化機構を有する装置の種々の実施の形態および図を示している。
【図８２】鈍化機構を有する装置の種々の実施の形態および図を示している。
【図８３】鈍化機構を有する装置の種々の実施の形態および図を示している。
【図８４】鈍化機構を有する装置の種々の実施の形態および図を示している。
【図８５】針ハブと拡張器ハブとの間の取り付けを有している装置の種々の実施の形態を示している。
【図８６】針ハブと拡張器ハブとの間の取り付けを有している装置の種々の実施の形態を示している。
【図８７】針ハブと拡張器ハブとの間の取り付けを有している装置の種々の実施の形態を示している。
【図１】
2008534154.tif 000003
【図２】
2008534154.tif 000004
【図３】
2008534154.tif 000005
【図４】
2008534154.tif 000006
【図５】
2008534154.tif 000007
【図５Ａ】
2008534154.tif 000008
【図６】
2008534154.tif 000009
【図７】
2008534154.tif 000010
【図８】
2008534154.tif 000011
【図９Ａ】
2008534154.tif 000012
【図９Ｂ】
2008534154.tif 000013
【図９Ｃ】
2008534154.tif 000014
【図１０Ａ】
2008534154.tif 000015
【図１０Ｂ】
2008534154.tif 000016
【図１１】
2008534154.tif 000017
【図１２】
2008534154.tif 000018
【図１２Ａ】
2008534154.tif 000019
【図１３】
2008534154.tif 000020
【図１３Ａ】
2008534154.tif 000021
【図１３Ｂ】
2008534154.tif 000022
【図１３Ｃ】
2008534154.tif 000023
【図１３Ｄ】
2008534154.tif 000024
【図１３Ｅ】
2008534154.tif 000025
【図１４】
2008534154.tif 000026
【図１５】
2008534154.tif 000027
【図１６】
2008534154.tif 000028
【図１７】
2008534154.tif 000029
【図１８】
2008534154.tif 000030
【図１９】
2008534154.tif 000031
【図２０】
2008534154.tif 000032
【図２０Ｂ】
2008534154.tif 000033
【図２０Ｃ】
2008534154.tif 000034
【図２０Ｄ】
2008534154.tif 000035
【図２１】
2008534154.tif 000036
【図２２】
2008534154.tif 000037
【図２３】
2008534154.tif 000038
【図２４】
2008534154.tif 000039
【図２４Ａ】
2008534154.tif 000040
【図２４Ｂ】
2008534154.tif 000041
【図２４Ｃ】
2008534154.tif 000042
【図２５】
2008534154.tif 000043
【図２６】
2008534154.tif 000044
【図２７】
2008534154.tif 000045
【図２８】
2008534154.tif 000046
【図２９】
2008534154.tif 000047
【図３０】
2008534154.tif 000048
【図３１】
2008534154.tif 000049
【図３２】
2008534154.tif 000050
【図３２Ａ】
2008534154.tif 000051
【図３２Ｂ】
2008534154.tif 000052
【図３３】
2008534154.tif 000053
【図３４】
2008534154.tif 000054
【図３５】
2008534154.tif 000055
【図３６】
2008534154.tif 000056
【図３７】
2008534154.tif 000057
【図３８】
2008534154.tif 000058
【図３９】
2008534154.tif 000059
【図４０】
2008534154.tif 000060
【図４１】
2008534154.tif 000061
【図４２】
2008534154.tif 000062
【図４３】
2008534154.tif 000063
【図４４】
2008534154.tif 000064
【図４５】
2008534154.tif 000065
【図４６】
2008534154.tif 000066
【図４７】
2008534154.tif 000067
【図４８】
2008534154.tif 000068
【図４９】
2008534154.tif 000069
【図５０】
2008534154.tif 000070
【図５１】
2008534154.tif 000071
【図５２】
2008534154.tif 000072
【図５３】
2008534154.tif 000073
【図５４】
2008534154.tif 000074
【図５５】
2008534154.tif 000075
【図５６】
2008534154.tif 000076
【図５７】
2008534154.tif 000077
【図５８】
2008534154.tif 000078
【図５９】
2008534154.tif 000079
【図６０】
2008534154.tif 000080
【図６１】
2008534154.tif 000081
【図６２】
2008534154.tif 000082
【図６３】
2008534154.tif 000083
【図６４】
2008534154.tif 000084
【図６５】
2008534154.tif 000085
【図６６】
2008534154.tif 000086
【図６７】
2008534154.tif 000087
【図６８】
2008534154.tif 000088
【図６９】
2008534154.tif 000089
【図７０】
2008534154.tif 000090
【図７１】
2008534154.tif 000091
【図７２】
2008534154.tif 000092
【図７３】
2008534154.tif 000093
【図７４】
2008534154.tif 000094
【図７５】
2008534154.tif 000095
【図７６】
2008534154.tif 000096
【図７７】
2008534154.tif 000097
【図７８】
2008534154.tif 000098
【図７９】
2008534154.tif 000099
【図８０】
2008534154.tif 000100
【図８１】
2008534154.tif 000101
【図８２】
2008534154.tif 000102
【図８３】
2008534154.tif 000103
【図８４】
2008534154.tif 000104
【図８５】
2008534154.tif 000105
【図８６】
2008534154.tif 000106
【図８７】
2008534154.tif 000107
【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
・穴および尖った遠位端を有する中空の針であって、これ自体を貫く針開口を有している針、
・前記針にスライド可能に取り付けられる拡張器であって、外表面と拡張器自体を貫く拡張器開口とを有しており、該拡張器開口が前記針開口に少なくともおおむね整列している拡張器、
・前記拡張器が鞘に対して移動可能であるように前記拡張器へと取り付けられる鞘であって、外表面を有している鞘、および
・前記鞘の外表面と前記拡張器との間に定められ、前記針開口および前記拡張器開口を通って前記針の孔に流体連通している空間
を有してあらかじめ組み立てられているアクセス装置であって、
前記鞘の少なくとも前記空間に隣接する部位が、前記針の患者への適切な配置を確認するため、前記空間内に存在しうる体液を前記鞘を通して視認できるように、少なくとも半透明であるアクセス装置。
【請求項２】
前記拡張器が、放物曲線を持つ遠位端を有している請求項１に記載のアクセス装置。
【請求項３】
前記針の近位端へと取り付けられ、案内ワイヤを受け入れるように寸法付けおよび配置された管腔を定めている針ハブ
をさらに有している請求項１または２に記載のアクセス装置。
【請求項４】
前記拡張器の近位端へと取り付けられ、前記針の上をスライドして移動することができる拡張器ハブであって、該拡張器ハブおよび前記針ハブの対をなす相補的な部材によって前記針ハブへと着脱可能に取り付けることができる拡張器ハブ
をさらに有している請求項３に記載のアクセス装置。
【請求項５】
前記拡張器が、比較的小さな直径を有して該拡張器の近位端を定めているスパイン部と、比較的大きな直径を有して該拡張器の遠位端を定めている膨らみ部分とを有しており、前記拡張器開口が前記スパイン部に位置している請求項１〜４のいずれか一項に記載のアクセス装置。
【請求項６】
・横穴を定めるとともに、案内ワイヤを受け入れるように寸法付けられた内腔および横穴の遠位側の尖った遠位端を有している中空針、
・遠位端を有しており、前記針へと前もって組み込まれている案内ワイヤ、
・針へと同軸に取り付けられて、針との間に第１の空間を定める拡張器であって、該第１の空間が、横穴を出る流体が存在すれば当該第１の空間へと流入させることができるように、横穴を通じて中空針の内腔に連絡している拡張器、
・拡張器へと同軸に取り付けられる鞘、および
・前記案内ワイヤの前記針に対する滑りを選択的に阻止するための案内ワイヤ保持具
を有しているアクセス装置。
【請求項７】
前記案内ワイヤが、該案内ワイヤの遠位端が前記針の横穴の近位にて終わって前記針の横穴を妨げないように前もって組み込まれている請求項６に記載のアクセス装置。
【請求項８】
前記案内ワイヤ保持具が、前記針の近位端へと取り付けられ、前記案内ワイヤを受け入れるように寸法付けおよび配置された管腔を定めている針ハブを有しており、該針ハブが、前記案内ワイヤが該針ハブを取って自由にスライドするのを前記管腔が許容する第１の状態と、該針ハブ内に前記案内ワイヤを拘束すべく前記管腔が塞がれる第２の状態との間を移行可能である請求項６または７に記載のアクセス装置。
【請求項９】
前記案内ワイヤ保持具が、前記案内ワイヤを前記針に対して固定するように前記針へと解除可能に押し付けられるくさび部材を含んでいる請求項６〜８のいずれか一項に記載のアクセス装置。
【請求項１０】
前記案内ワイヤ保持具が、前記案内ワイヤ上に配置された移動阻止部材を有している請求項６〜９のいずれか一項に記載のアクセス装置。
【請求項１１】
前記針に流体連通している圧力計
をさらに有している請求項１〜１０のいずれか一項に記載のアクセス装置。
【請求項１２】
前記圧力計が、垂直成分を有する向きに保持されるように構成されたカラムを有している請求項１１に記載のアクセス装置。
【請求項１３】
前記カラムが、段階的な目盛りを有している請求項１１に記載のアクセス装置。
【請求項１４】
前記圧力計が、止めコックを有している請求項１１に記載のアクセス装置。
【請求項１５】
・横穴を定めるとともに、案内ワイヤを受け入れるように寸法付けられた内腔および横穴の遠位側の尖った遠位端を有している中空針、
・前記針へと同軸に取り付けられて、針との間に第１の空間を定める拡張器であって、該第１の空間が、横穴を出る流体が存在すれば当該第１の空間へと流入させることができるように、横穴を通じて中空針の内腔に連絡している拡張器、および
・拡張器へと同軸に取り付けられる鞘
を有している装置であって、
拡張器および鞘の少なくとも一方が、流体を含んでいる空洞内への針の適切な配置を確認するために、当該装置内に流体が存在すれば拡張器および／または鞘を通して視認できるよう、透明、半透明、または光透過性であり、
拡張器が、鞘に対してスライドして変位することができ、
前記拡張器が、近位部分および遠位部分を備えていて、該遠位部分が該近位部分よりも大きな断面積を有している装置。
【請求項１６】
前記拡張器が、前記近位部分と前記遠位部分との間の移行領域をさらに有しており、該移行領域が拡張器横穴を定めている請求項１５に記載の装置。
【請求項１７】
前記移行領域が、実質的に一定の断面を有している請求項１６に記載の装置。
【請求項１８】
前記拡張器の近位部分が、拡張器横穴を定めている請求項１６に記載の装置。
【請求項１９】
前記拡張器の近位部分が、軸を有しており、前記拡張器の遠位部分が、該軸へと添えられ、前記拡張器の遠位部分が、前記第１の空間を定めている請求項１６に記載の装置。
【請求項２０】
前記第１の空間の断面積が、前記針の内腔の断面積の約２５％以上である請求項１９に記載の装置。
【国際調査報告】
2008534154.tif 000108